(57)【要約】　　　（修正有）【課題】ＣＲＴ表示装置用コンピューター机に適用できる上、机上にもベッドにもそれなりに妥当な高さで使用することができる平面表示装置を提供する。【解決手段】支持台は、対向の両端部がある第１の平板と、その一端部が第１の平板の一端部と鋭角を挟むように第１の平板上に固定され、他端部が連接装置を介して平面パネルの背面と連接している第２の平板とからなり、平面パネルは、第１の平板から遠ざかっている上端部と、第１の平板に近づいている下端部とを有し、また、平面パネルを平面的に回転した後、第１の平板の他端部が平面パネルの上端部と接触し、且つ平面パネルの下端部の端縁と第１の平板の一端部の端縁とがほぼ同一の水平面に穏やかに置かれることができるように構成されている。【選択図】図６
0003100220.tif 000002
【実用新案登録請求の範囲】
【請求項１】
　前面で映像を表示する平面パネルと、連接装置を介して前記平面パネルの背面から前記平面パネルをそのパネル平面自体が位置している平面上に回転自在に支持している略Ｌ字形の支持台とからなる平面表示装置であって、
　前記支持台は、対向の両端部がある第１の平板と、その一端部が前記第１の平板の前記一端部と鋭角を挟むように前記第１の平板上に固定され、他端部が前記連接装置を介して前記平面パネルの背面と連接している第２の平板とからなり、
　前記平面パネルは、前記第１の平板から遠ざかっている上端部と、前記第１の平板に近づいている下端部とを有し、
　また、前記平面パネルを平面的に回転した後、前記第１の平板の前記他端部が前記平面パネルの前記上端部と接触し、且つ前記平面パネルの前記下端部の端縁と前記第１の平板の前記一端部の端縁とがほぼ同一の水平面に穏やかに置かれることができるように構成されていることを特徴とする平面表示装置。
【請求項２】
　前記支持台の前記第２の平板は、前記第１の平板の前記一端部の端縁から一体に延伸してなり、
　また、前記平面パネルを平面的に約１８０度回転した後、前記平面パネルの前記下端部の端縁と、前記第１の平板の前記第２の平板と連接している境界部とがほぼ同一の水平面に置かれることができるように構成されていることを特徴とする請求項１に記載の平面表示装置。
【請求項３】
　前記連接装置は、枢接デバイスと連接板と軸接デバイスとからなり、
　前記平面パネルの前記背面には、固定板が固設され、前記固定板は、前記軸接デバイスを介して前記連接板に軸支され、前記連接板は、前記枢接デバイスを介して前記第２の平板の前記他端部に枢支されていることを特徴とする請求項２に記載の平面表示装置。
【請求項４】
　前記連接装置は、枢接デバイスと連接板と軸接デバイスとからなり、
　前記平面パネルの前記背面には、固定板が固設され、前記固定板は、前記枢接デバイスを介して前記連接板に枢支され、前記連接板は、前記軸接デバイスを介して前記第２の平板の前記他端部に軸支されていることを特徴とする請求項２に記載の平面表示装置。
【請求項５】
　前記平面パネルを平面的に約１８０度回転した後、前記平面パネルの前記下端部の端縁、前記固定板の一端縁、前記連接板の一端縁及び前記第１の平板の前記第２の平板と連接している境界部がほぼ同一の水平面に置かれることができるように構成されていることを特徴とする請求項３または４に記載の平面表示装置。
【請求項６】
　前記第１の平板及び前記第２の平板の該２平面板の境界部のほぼ中央当たりの近傍に、それぞれ壁面に取付けるための第１と第２の取付孔が形成されていることを特徴とする請求項１に記載の平面表示装置。
【考案の詳細な説明】
【技術分野】
【０００１】
　本考案は、平面表示装置に関し、特に支持台で平面パネルを俯仰かつ回転可能に支持している平面表示装置に関する。
【背景技術】
【０００２】
　従来の一般的な平面表示装置１は、図１に示すように、液晶表示用の平面パネル１１と、支持台１２とからなる。前記平面パネル１１は、その前面１１１で映像を表示する。前記支持台１２は、直立のものであって、前記平面パネル１１の背面１１２から前記平面パネル１１を俯仰かつ回転自在に支持している。それにより、前記平面表示装置１の前記支持台１２を事務用机またはコンピューター机などの平面上に置いた後、使用者の習慣に応じて前記平面パネル１１の俯仰角を調整したりそのパネル平面自体が位置している平面上に前記平面パネル１１を回転させたり（一般的に画像回転可能のプログラムと配合し）することができる。
【０００３】
　しかしながら、今に市販されているこのような平面表示装置１は、全て机上に置くように設計されているので、使用者は一時使用中の安らぎを図ってベッドなどの柔かい場所に平面表示装置１を使用しようとする場合、重心が高すぎで転倒し易いのみならず、パネルが高すぎ、うつぶせる姿勢で平面表示装置１を作業することが困難である。
【０００４】
　また、従来のＣＲＴ表示装置の時代に、図２のようなＣＲＴ表示装置用コンピューター机３が市販されていて今でも多くの事務室や展示室，家庭に残っている。このコンピューター机３は、主として、ＣＲＴ表示装置４を受ける傾斜の受け板３１と、前記ＣＲＴ表示装置４を前記受け板３１に支持固定する支持固定装置３２とを備えている。このようなコンピューター机３は、ＣＲＴ表示装置に適用できるが、図１のような平面表示装置１に適用することができないので、従来のＣＲＴ表示装置に代えて平面表示装置を使用すると共に、事務室や展示室，家庭に残っている図２のようなコンピューター机３を廃棄しなければならず、かなり浪費である。
【０００５】
　その外、図１のような平面表示装置１は、壁面に簡単に掛けられることができない欠点もある。
【考案の開示】
【考案が解決しようとする課題】
【０００６】
　上記に鑑みて、本考案の第１の目的は、机上にもベッドにもそれなりに妥当な高さで使用することができる平面表示装置を提供しようとすることにある。
【０００７】
　本考案の第２の目的は、図２のようなコンピューター机にも適用できる平面表示装置を提供しようとすることにある。
【０００８】
　本考案の第３の目的は、壁面に容易に掛けられることができる平面表示装置を提供しようとすることにある。
【課題を解決するための手段】
【０００９】
　前記目的を達成するために、考案者は、前面で映像を表示する平面パネルと、連接装置を介して前記平面パネルの背面から前記平面パネルをそのパネル平面自体が位置している平面上に回転自在に支持している略Ｌ字形の支持台とからなる平面表示装置であって、前記支持台は、対向の両端部がある第１の平板と、その一端部が前記第１の平板の前記一端部と鋭角を挟むように前記第１の平板上に固定され、他端部が前記連接装置を介して前記平面パネルの背面と連接している第２の平板とからなり、前記平面パネルは、前記第１の平板から遠ざかっている上端部と、前記第１の平板に近づいている下端部とを有し、また、前記平面パネルを平面的に回転した後、前記第１の平板の前記他端部が前記平面パネルの前記上端部と接触し、且つ前記平面パネルの前記下端部の端縁と前記第１の平板の前記一端部の端縁とがほぼ同一の水平面に穏やかに置かれることができるように構成されていることを特徴とする平面表示装置を提供する。
【００１０】
　この構成による平面表示装置は、前記平面パネルを平面的に約１８０度回転した後、高さないし重心が大幅に下がってベッドまたは図２のようなコンピューター机の傾斜の受け板上に穏やかに置かれることができるので、一般の事務用机やコンピューター机の外に、ベッドにも図２のようなコンピューター机にも使用されることができる。
【００１１】
　そして、前記第１の平板及び前記第２の平板の該２平面板の境界部のほぼ中央当たりの近傍に、それぞれ壁面に取付けるための第１と第２の取付孔が形成されることが好ましい。
【００１２】
　それにより、前記平面パネルを平面的に約１８０度回転した後、壁面に固定された鈎に掛けることにより壁上に設けられることができる。
【考案の効果】
【００１３】
　前記平面表示装置は、一般の事務用机やコンピューター机の外に、ベッドや図２のようなコンピューター机、壁などに使用されることができるので、多様な機能を発揮することができる。
【考案を実施するための最良の形態】
【００１４】
　以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
【００１５】
　図３は、本考案の平面表示装置の好ましい実施形態を示す分解斜視図である。図４は、図３の後方から見た斜視図である。この平面表示装置５は、主として平面パネル６と、略Ｌ字形の支持台７と、連接装置８とからなっている。前記平面パネル６は、前面６１で映像を表示する。前記略Ｌ字形の支持台７は、前記連接装置８を介して前記平面パネル６の背面６２から前記平面パネル６を俯仰、且つ、そのパネル平面自体が位置している平面上に回転自在に支持している。
【００１６】
　更に詳しく説明すると、前記支持台７は、第１の平板７１と、第２の平板７２とからなっている。前記第１の平板７１は、対向の両端部７１１，７１２がある。前記第２の平板７２は、その一端部７２１が前記第１の平板７１の前記一端部７１１と鋭角を挟むように前記第１の平板７１上に固定され、他端部７２２が前記連接装置８を介して前記平面パネル６の背面６２と連接している。本実施形態において、前記支持台７の前記第２の平板７２は、前記第１の平板７１の前記一端部７１１の端縁から一体に延伸してなっている。
【００１７】
　また、前記平面パネル６は、前記第１の平板７１から遠ざかっている上端部６３と、前記第１の平板７１に近づいている下端部６４とを有し、且つその前記背面６２の略下方には、ねじ合いにより固定板６５が固設されている。
【００１８】
　前記連接装置８は、枢接デバイス８１と連接板８２と軸接デバイス８３とからなっている。前記固定板６５は、前記軸接デバイス８３を介して前記連接板８２に軸支され、前記連接板８２は、前記枢接デバイス８１を介して前記第２の平板７２の前記他端部７２２に枢支されている。
【００１９】
　それにより、前記平面パネル６と前記固定板６５とを、前記軸接デバイス８３を軸心として平面的に前記連接板８２及び前記支持台７に対して回転させ、または前記平面パネル６と前記固定板６５と前記連接板８２とを、図５のように前記枢接デバイス８１を軸心として前記支持台７に対して俯仰させることができる。
【００２０】
　また、前記平面表示装置５は、前記平面パネル６が前記第１の平板７１と垂直する状態で、前記平面パネル６を平面的に約１８０度回転した後、図６に示すように、前記第１の平板７１の前記他端部７１２が前記平面パネル６の前記上端部６３と接触し、且つ前記平面パネル６の前記下端部６４の後端縁、前記固定板６５の一端縁、前記連接板８２の一端縁及び前記第１の平板７１の前記第２の平板７２と連接している境界部がほぼ同一の水平面に穏やかに置かれることができるように構成されている。
【００２１】
　それにより、使用者は、使用の習慣に応じて、前記平面表示装置５の前記支持台７を事務用机または一般のコンピューター机上に置いた後、図５に示すように前記平面パネル６の俯仰角を調整して使用し、または前記平面パネル６が前記第１の平板７１と垂直する状態で、前記平面パネル６を平面的に約１８０度回転した後、図６に示すように地面またはベッド９に置き、うつぶせる姿勢で使用したり図７に示すような従来のＣＲＴ表示装置用コンピューター机３に置いて使用したりすることができる。
【００２２】
　そして、前記第１の平板７１及び前記第２の平板７２の該２平面板の境界部のほぼ中央当たりの近傍に、それぞれ壁面に取付けるための第１と第２の取付孔７１３，７２３が更に形成されている。それにより、前記平面パネル６を平面的に１８０度回転した後、図８に示すように、前記第２の取付孔７２３、前記第１の取付孔７１３の順で、壁面９１に固定された鈎９２を順次に通過して前記平面表示装置５を壁面９１上に掛けることができる。
【００２３】
　図９は、本考案の平面表示装置の他の実施形態を示す分解斜視図である。この実施形態の前記実施形態と異なる点は、前記固定板６５は、前記枢接デバイス８１を介して前記連接板８２に枢支され、前記連接板８２は、前記軸接デバイス８３を介して前記第２の平板７２の前記他端部７２２に軸支されている。
【００２４】
　それにより、前記平面パネル６と前記固定板６５とを、前記枢接デバイス８１を軸心として前記連接板８２及び前記支持台７に対して俯仰させ、または前記平面パネル６と前記固定板６５と前記連接板８２とを、前記軸接デバイス８３を軸心として前記支持台７に対して回転させることができる。
【産業上の利用可能性】
【００２５】
　叙上のように、前記構成による平面表示装置は、前記平面パネルを平面的に１８０度回転した後、高さないし重心が大幅に下がってベッドまたは従来のＣＲＴ表示装置用コンピューター机の傾斜の受け板上に穏やかに置かれることができるので、一般の事務用机やコンピューター机の外に、ベッドにも従来のＣＲＴ表示装置用コンピューター机にも使用されることができる。また、前記第１と第２の取付孔の設置により壁などにも掛けられて使用されることができるので、多種多様な機能を発揮することができる。
【００２６】
　以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【００２７】
【図１】従来の平面表示装置の斜視図である。
【図２】従来のＣＲＴ表示装置用コンピューター机の側面図である。
【図３】本考案の平面表示装置の好ましい実施形態の分解斜視図である。
【図４】図３の後方から見た斜視図である。
【図５】前記実施形態の組立後の側面図である。
【図６】前記実施形態における平面パネルが約１８０度回転された後、地面またはベッドに置いた時の側面図である。
【図７】前記実施形態における平面パネルが約１８０度回転された後、図２のようなコンピューター机に置いた時の側面図である。
【図８】前記実施形態の平面表示装置を壁に掛けた時の側面図である。
【図９】本考案の平面表示装置の他の実施形態の分解斜視図である。
【符号の説明】
【００２８】
５　　　平面表示装置
６　　　平面パネル
６１　　平面パネルの前面
６２　　平面パネルの背面
６３　　平面パネルの上端部
６４　　平面パネルの下端部
６５　　固定板
７　　　支持台
７１　　第１の平板
７１１　第１の平板の一端部
７１２　第１の平板の他端部
７１３　第１の取付孔
７２　　第２の平板
７２１　第２の平板の一端部
７２２　第２の平板の他端部
７２３　第２の取付孔
８　　　連接装置
８１　　枢接デバイス
８２　　連接板
８３　　軸接デバイス
９１　　ベッド
９２　　壁面
９３　　鈎
【図１】
0003100220.tif 000003
【図２】
0003100220.tif 000004
【図３】
0003100220.tif 000005
【図４】
0003100220.tif 000006
【図５】
0003100220.tif 000007
【図６】
0003100220.tif 000008
【図７】
0003100220.tif 000009
【図８】
0003100220.tif 000010
【図９】
0003100220.tif 000011